(57)【特許請求の範囲】
【請求項１】
収納ケースに収納された昇降棚を、一対の平行支持リンクを介して前記収納ケースの前下方に引き出し自在に移動することができる昇降装置であって、
前記平行支持リンクの少なくとも一方における支持リンクのいずれかの回動軸に固定された主回転板と、
前記主回転板の一部にその一方が取り付けられ、前記回動軸を、前記昇降棚の引き出し時に生じる回転方向とは逆の回転方向に付勢する第１バネと、
前記回動軸に対して回動自在に取り付けられた副回転板と、
前記副回転板の一部にその一方が取り付けられ、前記逆の回転方向に付勢する第２バネと、
前記主回転板のみの回転状態と、前記副回転板が前記主回転板の回転と一体となって回転する回転状態とを切り替える切替手段とを備えた、昇降装置。
【請求項２】
前記切替手段は、第１の位置と第２の位置との間で移動自在となるように前記副回転板に取り付けられ、前記第１の位置にある時には前記主回転板の回転に伴ってこれに係合し、前記第２の位置にある時には前記主回転板とは非係合状態となる、請求項１記載の昇降装置。
【請求項３】
前記副回転板には長孔が形成され、
前記切替手段は、
前記副回転板に、これを貫通する方向に取り付けられた軸と、
前記長孔を貫通するように配置される係合ピンと、
前記副回転板の前記長孔を含む部分を挟むように配置されると共に、前記係合ピンが各々の内面に架け渡され、前記軸に回動自在に取り付けられた一対の平板部と、
前記平板部の位置を変化させることができる操作レバーとを備え、
前記切替部材が前記第１の位置にある時には、前記係合ピンは前記主回転板の回転軌道内に配置され、前記切替部材が前記第２の位置にある時には、前記係合ピンは前記主回転板の回転軌道から外れる、請求項２記載の昇降装置。
【発明の詳細な説明】
【０００１】
【発明の属する技術分野】
この発明は、昇降装置に関し、特に台所の昇降棚や玄関の靴箱等に用いられる昇降棚に関するものである。
【０００２】
【従来の技術】
図８は、従来の台所の昇降棚として用いられる昇降装置の外観形状を示した正面図であり、図９は、図８で示したＩＸ−ＩＸラインの断面図である。
【０００３】
これらの図を参照して、前面が開放された箱形形状の収納ケース３の内部に、同様に前面が開放された箱形形状の昇降棚２が格納されている。
【０００４】
昇降棚２の右側面上方には取付板６ｂが取り付けられ、取付板６ｂには前支持リンク４ｂ及び後支持リンク５ｂが取り付けられている。前支持リンク４ｂの上方端部は軸８ｂを介して取付板６ｂに回動自在に取り付けられ、下方端部は収納ケース３の右内方面に固定された機構ボックス１０ｂの回動軸３０ｂを中心に回動自在に取り付けられている。また、後支持リンク５ｂの上方端部は軸７ｂを介して取付板６ｂに回動自在に取り付けられ、下方端部は機構ボックス１０ｂの回動軸１１ｂを中心に回動自在に取り付けられている。
【０００５】
昇降棚２の左側面についても右側面と同様に、前支持リンク４ａ及び後支持リンク５ａを介して機構ボックス１０ａに取り付けられている。
【０００６】
回動軸１１ｂは、機構ボックス１０ｂの内部に挿通され、機構ボックス１０ｂ内部において回動軸１１ｂに回転板５０が固定されている。回転板５０には、第１バネ１４及び第２バネ１５が取り付けられている。第１バネ１４の一方は、回転板５０の外周端部に開口５３を介して取り付けられ、その他方は枠体３１内部の所定位置に取り付けられている。第２バネ１５の一方は、回転板５０の開口５３と回動軸１１ｂとの中程において開口５４を介して取り付けられ、その他方は、枠体３１に軸５２を中心として回動自在に取り付けられた可動板５１に開口５５を介して取り付けられている。
【０００７】
これらの第１バネ１４及び第２バネ１５は、回転板５０を介して回動軸１１ｂを図９において時計回りに付勢し、昇降棚２の昇降動作に必要な力を軽減する目的で取り付けられている。
【０００８】
また、オイルダンパー２５の下方端部が回転板５０に軸２６を介して回動自在に取り付けられ、その上方端部が枠体３１内部の所定位置に軸２７を介して回動自在に取り付けられているが、これは、昇降棚２の急激な昇降動作を抑制するためのものである。
【０００９】
ここで、昇降棚２の昇降時における機構ボックス１０ｂ内部の動作について説明する。
【００１０】
図１０は、図９で示した機構ボックスの内部の拡大図である。尚、この図において、オイルダンパー２５については記載を省略している。
【００１１】
図を参照して、昇降棚２が収納ケース３の前下方に引き出される過程では、後支持リンク５ｂは回動軸１１ｂを中心として反時計回りに回転する。このため回動軸１１ｂも反時計回りに回転し、回動軸１１ｂに固定された回転板５０も同様に反時計回りに回転する。回転板５０には、更に第１バネ１４が開口５３を介して取り付けられ、第２バネ１５が開口５４を介して取り付けられているため、回転板５０の回転に伴って第１バネ１４及び第２バネ１５が引き伸ばされ、回転板５０を介して回動軸１１ｂに対して時計回りの付勢力を生じる。この付勢力は、昇降棚２の引き出し時に後支持リンク５ｂに加わる昇降棚２及びその内部の収納物の重量を相殺するように働く。
【００１２】
昇降棚２を降下して完全に降下した状態（二点鎖線の位置）から、昇降棚２を収納ケース３に収納する過程においても、第１バネ１４及び第２バネ１５の付勢力は、昇降棚２の降下時と同様に時計回りに働くため、収納動作に要する力を軽減することができる。
【００１３】
したがって、昇降棚２の引き出し及び収納のいずれの場合においても、昇降をスムーズに行うことが可能となる。
【００１４】
ところで、第２バネ１５の一方は、枠体３１に軸５２を中心として回動自在に取り付けられた可動板５１に開口５５を介して取り付けられている。可動板５１は、図示しない操作手段によって第２バネ１５の一方の位置を移動して（二点差線の位置）、作動時の第２バネ１５の長さを変更するために取り付けられている。これにより、昇降棚２に収納されている物品の重量が増減しても、それに応じてバネによる付勢力を変更することができる。
【００１５】
【発明が解決しようとする課題】
上記のような昇降装置では、可動板の位置を調整して第２バネの付勢力を変更できるものの、回動軸の回転開始と同時に常に２本のバネが同時に作用するため回転に対する抵抗力が大きくなり、使い勝手が良くない。
【００１６】
また、上記のように一枚の回転板に２本のバネを取り付けた場合、スペース上第２バネの軸方向が開口５４と回動軸１１ｂとを結んだ方向に対して極端に鋭角となるため、バネによる付勢の効率が低下する。他方、第２バネの使用効率を向上させるために、回転板への取付位置を回動軸からより離れた第１バネに近い位置に変更すると、回転板の回転時に第１バネと第２バネとが取付位置付近で干渉してしまうこととなる。
【００１７】
更に、このような昇降装置は、通常は台所等の高い位置に取り付けられるものであるため、昇降棚の昇降時の抵抗力を変更する操作部分は、機構ボックスの下部に配置する必要がある。したがって、上記のように機構ボックス内部の上方に取り付けられた可動板によりバネの位置を変更する方法では、機構ボックス下部の操作部分から機構ボックス内部の上方の可動板に渡り、可動板を移動するための機構が必要となり、内部構造が複雑になる。
【００１８】
この発明は、上記のような課題を解決するためになされたもので、２つのバネを効率的に用いて、昇降棚に収納する物品の重量に関わらずスムーズな昇降を可能とし、昇降時の抵抗力の変更をよりシンプルな機構で行うことができる昇降装置を提供することを目的とする。
【００１９】
【課題を解決するための手段】
上記の目的を達成するために、請求項１記載の発明は、収納ケースに収納された昇降棚を、一対の平行支持リンクを介して収納ケースの前下方に引き出し自在に移動することができる昇降装置であって、平行支持リンクの少なくとも一方における支持リンクのいずれかの回動軸に固定された主回転板と、主回転板の一部にその一方が取り付けられ、回動軸を、昇降棚の引き出し時に生じる回転方向とは逆の回転方向に付勢する第１バネと、回動軸に対して回動自在に取り付けられた副回転板と、副回転板の一部にその一方が取り付けられ、逆の回転方向に付勢する第２バネと、主回転板のみの回転状態と、副回転板が主回転板の回転と一体となって回転する回転状態とを切り替える切替手段とを備えたものである。
【００２０】
このように構成すると、２枚の回転板の回転状態に応じてバネによる付勢力が２段階に回動軸に加わる。
【００２１】
請求項２記載の発明は、請求項１記載の発明の構成において、切替手段は、第１の位置と第２の位置との間で移動自在となるように副回転板に取り付けられ、第１の位置にある時には主回転板の回転に伴ってこれに係合し、第２の位置にある時には主回転板とは非係合状態となるものである。
【００２２】
このように構成すると、副回転板の回転の有無は、切替手段が主回転板の回転に伴って係合することができる位置にあるかどうかにより決定される。
【００２３】
請求項３記載の発明は、請求項２記載の発明の構成において、副回転板には長孔が形成され、切替手段は、副回転板に、これを貫通する方向に取り付けられた軸と、長孔を貫通するように配置される係合ピンと、副回転板の長孔を含む部分を挟むように配置されると共に、係合ピンが各々の内面に架け渡され、軸に回動自在に取り付けられた一対の平板部と、平板部の位置を変化させることができる操作レバーとを備え、切替部材が第１の位置にある時には、係合ピンは主回転板の回転軌道内に配置され、切替部材が第２の位置にある時には、係合ピンは主回転板の回転軌道から外れるものである。
【００２４】
このように構成すると、主回転板と副回転板は係合ピンを介して係合する。
【００２５】
【発明の効果】
以上説明したように、請求項１記載の発明は、２枚の回転板の回転状態に応じてバネによる付勢力が２段階に回動軸に加わるため、昇降棚の収納物の重量に関わらず、スムーズな昇降が可能となり、使い勝手が向上する。また、第１バネ及び第２バネが主回転板と副回転板に別々に取り付けられるため、効率的なバネの配置が容易となる。
【００２６】
請求項２記載の発明は、請求項１記載の発明の効果に加えて、副回転板の回転の有無は、切替手段が主回転板の回転に伴って係合することができる位置にあるかどうかにより決定されるため、切替手段を第１の位置と第２の位置とに切り替えることで、昇降時のバネによる付勢力を変更することができる。また、切替手段の第１の位置を主回転板の回転軌道内で移動させると、係合のタイミングを変更することが可能となる。
請求項３記載の発明は、請求項２記載の発明の効果に加えて、切替手段は係合ピンの強度が増すように構成されており、その係合ピンを介して主回転板と副回転板とが係合するため、係合の信頼性が向上する。
【００２７】
【発明の実施の形態】
図１は、この発明の第１の実施の形態による昇降装置の概略構成を示す断面図であって、従来例で示した図９に対応した図である。
【００２８】
図を参照して、昇降棚２と収納ケース３とが前支持リンク４ｂ及び後支持リンク５ｂを介して移動自在に接続されている点は従来と同様であるが、機構ボックス１０ｂの構成が大きく異なっており、第１バネ１４及び第２バネ１５の他に、主回転板１２、副回転板１３及び切替部材１７が含まれている。
【００２９】
主回転板１２は、後支持リンク５ｂの下方端部が取り付けられている回動軸１１ｂに固定されており、主回転板１２と後支持リンク４ｂとの間には、副回転板１３が回動軸１１ｂに対して回動自在に取り付けられている。
【００３０】
第１バネ１４は、その一方が主回転板１２上方の外周端部において開口４０を介して回動自在に取り付けられ、他方が枠体３１内部の上方に回動自在に取り付けられている。第２バネ１５は、その一方が副回転板１３上方の外周端部において開口４１を介して回動自在に取り付けられ、他方が枠体３１内部の上方に回動自在に取り付けられている。
【００３１】
切替部材１７は、副回転板１３を貫通する回動軸１６を中心として回動自在に取り付けられており、副回転板１３の回転を制御する目的で取り付けられている。切替部材１７の詳細については後述する。
【００３２】
また、機構ボックス１０ｂの下部には、外部から内部へと挿通する操作シャフト２８が配置されており、後述するように切替部材１７を操作するために取り付けられている。
【００３３】
尚、オイルダンパー２５の下方端部が、主回転板１２の下方の外周端部に軸２６を介して回動自在に取り付けられ、その上方端部が枠体３１内部の上方に軸２７を介して回動自在に取り付けられている。この実施の形態においても、オイルダンパー２５は従来と同様に、昇降棚２の急激な昇降動作を抑制するためのものである。
【００３４】
図２は、図１で示した切替部材１７周辺の拡大図であって、操作シャフト２８が引き出された状態を示した図である。図３は、図２におけるＩＩＩ−ＩＩＩラインから見た図である。
【００３５】
まず、各構成部材の形状、寸法等について説明する。
【００３６】
これらの図を参照して、主回転板１２の外周部分において、図示しないオイルダンパーの下方端部を回動自在に接続するための軸２６が取り付けられている。このオイルダンパー取付部分と連続して、第１外周部４３が回動軸１１ｂを中心とした円弧となるように形成されている。第１外周部４３の更に側方には、回動軸１１ｂを中心とした円弧となるように第２外周部４４が形成されている。回動軸１１ｂを中心とした第２外周部４４の半径は、回動軸を中心とした第１外周部４３の半径より大きく、その寸法の差は後述する係合ピン１８の径より大きくなるように形成されている。第２外周部４４と第１外周部４３とは内方に凹んだ半円形状の係合部２２を介して接続されており、結果として第２外周部４４の端部は突起２１を構成する。
【００３７】
副回転板１３は、主回転板１２とほぼ平行に配置され、回動軸１１ｂに対して回動自在に取り付けられている。副回転板１３の下方の外周端部には、後述するように、回動軸１６を中心として回動自在に切替部材１７が取り付けられている。また、副回転板１３には、回動軸１６を中心とする円弧状の長孔１９が形成されている。長孔１９の一方の端部は、主回転板１２の第１外周部４３と第２外周部４４とをそれぞれ含む同心円の間に後述する係合ピン１８を配置することができる位置に形成され、他方の端部は、主回転板１２の第２外周部を含む円の外方に係合ピン１８を配置することができる位置に形成されている。長孔１９の回動軸１６を中心とした半径方向の幅は、後述する係合ピン１８の径よりも大きくなるように形成されている。
【００３８】
切替部材１７は、一枚の平板の折り曲げ加工によって形成された第１平板部３６、連結部３８及び第２平板部３７と、回動軸１６と、係合ピン１８と、軸３３を介して取り付けられたローラー３２を含んでいる。
【００３９】
第１平板部３６と第２平板部３７はほぼ平行になるように所定の間隔をあけて配置され、第１平板部３６と第２平板部３７を架け渡すように連結部３８が接続されている。第１平板部３６と第２平板部３７とで構成される間隔に、第２平板部３７の内方面と副回転板１３の一方面とがほぼ平行になるように副回転板１３を配置し、更に、副回転板１３の他方面の一部と第１平板部３６の内方面とで構成される間隔に、第１平板部３６の内方面とほぼ平行に主回転板１２を配置することができるように、切替部材１７は構成されている。
【００４０】
回動軸１６は、第１平板部３６から第２平板部３７へと直交する方向に、第１平板部３６、副回転板１３、第２平板部３７の順に貫通するように取り付けられており、切替部材１７は回動軸１６を中心として回動自在である。
【００４１】
係合ピン１８は、第１平板部３６から第２平板部３７へと直交する方向に、第１平板部３６から副回転板１３に形成された長孔１９の内部を通過して、第２平板部３７を貫通するように取り付けられている。この長孔１９は、回動軸１６を中心とした円弧状で、その半径方向の幅は係合ピン１８より大きく形成されているため、切替部材１７の第１平板部３６及び第２平板部３７が回動軸１６を中心として回動するのに伴って、係合ピン１８は長穴１９の内部において回動軸１６を中心に回動することができる。
【００４２】
また、第２平板部３７の外方面の下方端部には、軸３３を介してローラー３２が回動自在に取り付けられている。このローラー３２は、操作シャフト２８の操作時に、操作シャフト２８の先端に取り付けられたスライドブロック２９に対して切替部材１７が円滑に移動することができるように取り付けられているものである。
【００４３】
更に、切替部材１７は、図示しない付勢手段によって、図２において回動軸１６を中心に副回転板１３に対して常に時計回りに付勢されている。
【００４４】
次に、操作シャフト２８が引き出された状態での動作について説明する。
【００４５】
切替部材１７は図示しない付勢手段により回動軸１６を中心に時計回りに付勢されているため、操作シャフト２８が引き出された状態では、係合ピン１８は図２に示すように、長孔１９の一方の端部、すなわち、主回転板１２の第１外周部４３と第２外周部４４の各々を含む同心円の間に位置している。
【００４６】
昇降棚の引き出しに伴って後支持リンクが図２において反時計回りに回転すると、回動軸１１ｂに固定された主回転板１２も同時に反時計回りに回転する。このとき、主回転板１２に形成された突起２１は、図２の二点差線の軌跡を描くように回転し、第１平板部３６及び副回転板１３に挟まれた間隔の、回動軸１６と係合ピン１８との間に進入する。これによって、突起２１と第１外周部４３との間に形成された半円形状の凹みである係合部２２と係合ピン１８とが係合する。
【００４７】
このように、操作シャフト２８が引き出された状態では、主回転板１２と副回転板１３は、副回転板１３に取り付けられた切替部材１７を介して係合し、その後は副回転板１３は主回転板１２と一体となって回転する。
【００４８】
図４は、図１で示した切替部材１７周辺の拡大図であって、操作シャフト２８が押し込まれた状態を示した図である。図５は、図４におけるＶ−Ｖラインから見た図である。
【００４９】
各部材の構成については、図２において既に説明したものと同一であるので、ここでは、操作シャフト２８が押し込まれた状態での動作についてのみ説明する。
【００５０】
これらの図を参照して、操作シャフト２８が押し込まれると、スライドブロック２９により切替部材１７のローラー３２が押され、切替部材１７は図４において回動軸１６を中心に反時計回りに回転する。このとき、ローラー３２は回転しながらスライドブロック２９の外壁に沿って上方に移動することができるため、切替部材１７は操作シャフト２８及びスライドブロック２９の動きに伴ってスムーズにその位置が変更する。係合ピン１８が副回転板１３の長孔１９の下端部分まで移動した時点で、ローラー３２はスライドブロック２９の上面に形成された窪みと係合する。切替部材１７は、図示しない付勢手段によって回動軸１６を中心に時計回りに付勢されているが、ローラー３２がスライドブロック２９の上部と接しているため、切替部材１７は図４に示した位置に保持される。
【００５１】
尚、操作シャフト２８及びスライドブロック２９のこれ以上の移動は、図示しない係止手段によって停止されるように構成されている。
【００５２】
昇降棚の引き出しに伴って後支持リンクが図４において反時計回りに回転すると、回動軸１１ｂに固定された主回転板１２も同時に反時計回りに回転する。このとき、主回転板１２に形成された突起２１は、第１平板部３６及び副回転板１３に挟まれた間隔を通過する。しかし、係合ピン１８が主回転板１２の第２外周部４４より外方に位置するため、係合ピン１８と主回転板１２の係合部２２とは係合することなく、主回転板１２は図４に示した二点鎖線の軌跡を描くように回転する。
【００５３】
このように、操作シャフト２８が押し込まれた状態では、主回転板１２は副回転板１３と係合することができないため、主回転板１２のみが回転する。
【００５４】
以上より、切替部材１７の位置を操作シャフト２８が引き出された場合の第１の位置と、操作シャフト２８が押し込まれた場合の第２の位置とに切り替えることによって、主回転板１２の回転に伴う副回転板１３の回転状態を切り替えることが可能となる。
【００５５】
ここで、機構ボックス内部全体の動作について説明する。
【００５６】
図６は、図１で示した機構ボックス内部の動作状態を示した図であって、操作シャフト２８が引き出された状態を示した図である。図７は、図１で示した機構ボックス内部の動作状態を示した図であって、操作シャフト２８が押し込まれた状態を示した図である。
【００５７】
まず、図６を参照して、操作シャフト２８が引き出された状態では、図２において説明したように、切替部材１７の係合ピン１８は主回転板１２の係合部２２の回転軌道内に位置している。
【００５８】
昇降棚の引き出しに伴って後支持リンクが反時計回りに回転し始めると、まず、回動軸１１ｂと共に主回転板１２のみが回転し始める。この時点では、主回転板１２に取り付けられた第１バネ１４だけが、回動軸１１ｂに対して時計回りの付勢力を発揮する。
【００５９】
更に、回動軸１１ｂと主回転板１２が回転すると、主回転板１２と切替部材１７とが係合して、主回転板１２と副回転板１３とが一体となった状態で回転し始める。昇降棚が最下点まで引き出されると、各部材は二点差線の位置にまで移動する。主回転板１２及び副回転板１３が係合した後は、第１バネ１４に加えて、副回転板１３に取り付けられた第２バネ１５も回動軸１１ｂに対して時計回りの付勢力を発揮する。この場合において、副回転板１３は係合ピン１８を介して回動軸１１ｂへと第２バネ１５による付勢力を伝達するが、係合ピン１８は副回転板１３の長孔１９内部を貫通し、且つ、その両端が第１平板部３６及び第２平板部３７に固定されて強化されているため、係合部分の信頼性が向上している。
【００６０】
このように操作シャフト２８を引き出した状態にすると、昇降棚に格納された物品の重量が増加した場合でも、２本のバネによる付勢力が収納棚の重量を相殺するように働き、スムーズな引き出しが可能となる。また、主回転板１２が所定の角度だけ回転してから副回転板１３と係合するように構成されているため、昇降棚の引き出しの初動時から両方のバネが同時に作用することがなくスムーズに引き出せるので、使い勝手が向上する。
【００６１】
尚、昇降棚を収納する際にも、これを補助するように両方のバネによって主回転板１２と副回転板１３とを介して回動軸１１ｂが付勢されるため、昇降動作のいずれの場合においてもスムーズな操作が可能となる。
【００６２】
一方、図７を参照して、操作シャフトが押し込まれた状態では、図４において説明したように、切替部材１７の係合ピン１８は主回転板１２の第２外周部４４の外方に位置している。
【００６３】
この状態では、主回転板１２の係合部２２と切替部材１７の係合ピン１８とは係合しないため、昇降棚の引き出しに伴って後支持リンクが反時計回りに回転すると、回動軸１１ｂに固定された主回転板１２のみが回転する。昇降棚が最下点まで引き出されると、主回転板１２及び第１バネ１４は二点差線の位置にまで移動する。
【００６４】
したがって、回動軸１１ｂに対して第１バネ１４だけが時計回りの付勢力を発揮し、昇降棚に格納されている物品の重量が低減されている場合の操作をスムーズにする。
【００６５】
以上説明したように、バネが主回転板１２と副回転板１３のそれぞれに独立して取り付けられているため、バネの取付スペースの点で自由度が向上する。したがって、特に第２バネ１５の軸方向が、開口４１と回動軸１１ｂとを結んだ方向に対して極端な鋭角となることが避けられ、両方のバネを効率よく使用することが可能となる。また、第１バネ１４と第２バネ１５とが回転板上の取付位置付近で干渉することもない。
【００６６】
そして、上記のように切替部材１７を構成すると、切替部材１７とその操作機構とを近接して配置することが可能であり、操作シャフト２８を機構ボックスの下部に配置しても、内部構造をシンプルにすることができる。
【００６７】
尚、上記の実施の形態では、切替部材は副回転板に取り付けられているが、主回転板に取り付けても良い。
【００６８】
また、上記の実施の形態では、主回転板及び副回転板の２枚の回転板を使用しているが、３枚以上の回転板を用いて、バネによる付勢力を３段階以上に切り替えることができるように構成しても良い。
【００６９】
更に、上記の実施の形態では、主回転板及び副回転板は、後支持リンクの回動軸に取り付けられているが、前支持リンクの回動軸に取り付けても良い。
【００７０】
更に、上記の実施の形態では、副回転板の長孔を円弧状としているが、必ずしも円弧状である必要はなく、切替部材の回動に伴って係合ピンが必要な範囲を移動することができ、係合時に係合ピンが主回転板に当接できる形状であれば良い。
【００７１】
更に、上記の実施の形態では、切替部材の第１平板部及び第２平板部は、一枚の平板の折り曲げ加工によって形成され、連結部により接続されているが、このように構成することは必ずしも必要ではなく、第１平板部及び第２平板部を他の方法で連結しても良い。
【００７２】
更に、上記の実施の形態では、主回転板に形成された係合部は半円形状の凹みとして形成されているが、主回転板の回転に伴って係合ピンと係合できる形状であれば、他の形状でも良い。
【００７３】
更に、上記の実施の形態では、平行支持リンクを昇降棚の両側に取り付けているが、いずれか一方のみに取り付けるように構成することも可能である。
【００７４】
更に、上記の実施の形態では、台所の昇降棚に適用しているが、玄関の靴箱等、その他の昇降装置にも同様に適用することができる。
【図面の簡単な説明】
【図１】この発明の第１の実施の形態による昇降装置の概略構成を示す断面図である。
【図２】図１で示した切替部材周辺の拡大図であって、操作シャフトが引き出された状態を示した図である。
【図３】図２におけるＩＩＩ−ＩＩＩラインから見た図である。
【図４】図１で示した切替部材周辺の拡大図であって、操作シャフトが押し込まれた状態を示した図である。
【図５】図４におけるＶ−Ｖラインから見た図である。
【図６】図１で示した機構ボックス内部の動作状態を示した図であって、操作シャフトが引き出された状態を示した図である。
【図７】図１で示した機構ボックス内部の動作状態を示した図であって、操作シャフトが押し込まれた状態を示した図である。
【図８】従来の台所の昇降棚として用いられる昇降装置の外観形状を示した正面図である。
【図９】図８で示したＩＸ−ＩＸラインの断面図である。
【図１０】図９で示した機構ボックスの内部の拡大図である。
【符号の説明】
１…昇降装置
２…昇降棚
３…収納ケース
４…前支持リンク
５…後支持リンク
１０…機構ボックス
１１、１６、３０…回動軸
１２…主回転板
１３…副回転板
１４…第１バネ
１５…第２バネ
１７…切替部材
１８…係合ピン
１９…長孔
２１…突起
２２…係合部
２８…操作シャフト
３６…第１平板部
３７…第２平板部
３８…連結部
４３…第１外周部
４４…第２外周部
尚、各図中同一符号は同一又は相当部分を示す。
【図１】
0003592698.tif 000002
【図２】
0003592698.tif 000003
【図３】
0003592698.tif 000004
【図４】
0003592698.tif 000005
【図５】
0003592698.tif 000006
【図６】
0003592698.tif 000007
【図７】
0003592698.tif 000008
【図８】
0003592698.tif 000009
【図９】
0003592698.tif 000010
【図１０】
0003592698.tif 000011